(57)【特許請求の範囲】
【請求項１】
上方に開口する陳列室の奥側の開口縁が手前側の開口縁よりも高い位置とされたショーケースにおいて、
前記奥側及び手前側の開口縁にそれぞれ設けられたレールと、
各レールの上方に所定の間隔を存してそれぞれ設けられ、各レールとの間に前記陳列室の開口方向に開放した扉挿入空間をそれぞれ構成するカバー部と、
各扉挿入空間に上下縁部がそれぞれ挿入されて前記各レール上に左右移動自在に支持され、前記陳列室の開口を開閉自在に閉塞する引き戸式の扉と、
前記レール上に設けられ、当該レールに支持された前記扉の前記陳列室の奥側への移動を規制する規制部とを備え、
該規制部の前記扉の厚さ方向の高さ寸法は、前記レール上に支持された前記扉と前記カバー部とのクリアランスより小さく設定されていることを特徴とするショーケース。
【請求項２】
前記規制部を、奥側の開口縁の前記レール上に設けたことを特徴とする請求項１に記載のショーケース。
【請求項３】
前記規制部を、折曲された板金にて構成したことを特徴とする請求項１又は請求項２に記載のショーケース。
【請求項４】
前記規制部を、前記レール上に着脱自在に設けたことを特徴とする請求項１乃至請求項３のうちの何れかに記載のショーケース。
【請求項５】
前記レールは上下二段で構成され、上側のレールが下側のレールの前記カバー部を兼ねることを特徴とする請求項１乃至請求項４のうちの何れかに記載のショーケース。
【請求項６】
前記扉には、前記レールに当接する突起を形成したことを特徴とする請求項１乃至請求項５のうちの何れかに記載のショーケース。
【発明の詳細な説明】
【技術分野】
【０００１】
本発明は、上方に開口する陳列室を引き戸式の扉にて開閉自在に閉塞して成るショーケースに関するものである。
【背景技術】
【０００２】
従来より所謂平型と称される上方に開口したショーケースの場合、前方に開口するショーケースに比して冷気漏洩が少ないというメリットがあるが、近年の省エネ要求に応じて係る平型のショーケースにおいても、開口を透明な扉にて開閉自在に閉塞しなければならなくなって来ている。
【０００３】
その場合、顧客からの視認性を考慮して、特許文献１のように陳列室の奥側の開口縁が手前側の開口縁よりも高い位置とされ、各開口縁に設けたレールに引き戸式の扉の上下縁部を左右に移動自在に支持させるかたちとなる。
【０００４】
また、奥側が高く扉は傾斜して設けられるため、単にレールに載置するだけでは自重により手前側に脱落する危険性が高い。そのため、前記特許文献１の図４における内側のレールのように、レールと所定の間隔を存してその上方にカバー部を設け、このカバー部とレールとの間に開口方向に開放した扉投入空間を構成して、この扉挿入空間内に扉の縁部を挿入するようにしていた（特許文献１参照）。
【先行技術文献】
【特許文献】
【０００５】
【特許文献１】特開平７−２７５０９２号公報
【発明の概要】
【発明が解決しようとする課題】
【０００６】
ここで、前記特許文献１のように奥側の開口縁が手前側より相当に高く、殆ど立った状態で扉が設けられるものでは、扉の自重が殆ど手前側の開口縁（下側）のレールにかかるため、扉の左右移動は安定している。しかしながら、扉の傾斜が小さくなる場合、即ち、陳列室の奥側の開口縁と手前側の開口縁との高さの差が小さい場合、扉の自重が手前側と奥側のレールに分散されるため、扉を左右に移動させて開閉する際、扉が上下にガタ付いてしまい、開閉移動が円滑に行えなくなる問題があった。
【０００７】
本発明は、係る従来の技術的課題を解決するために成されたものであり、奥側の開口縁が手前側より高い陳列室の開口を引き戸式扉で開閉自在に閉塞するショーケースにおいて、扉の傾斜が小さい場合でもその移動を円滑に行えるようにすることを目的とするものである。
【課題を解決するための手段】
【０００８】
本発明のショーケースは、上方に開口する陳列室の奥側の開口縁が手前側の開口縁よりも高い位置とされたものであって、奥側及び手前側の開口縁にそれぞれ設けられたレールと、各レールの上方に所定の間隔を存してそれぞれ設けられ、各レールとの間に陳列室の開口方向に開放した扉挿入空間をそれぞれ構成するカバー部と、各扉挿入空間に上下縁部がそれぞれ挿入されて各レール上に左右移動自在に支持され、陳列室の開口を開閉自在に閉塞する引き戸式の扉と、レール上に設けられ、当該レールに支持された扉の陳列室の奥側への移動を規制する規制部とを備え、この規制部の扉の厚さ方向の高さ寸法は、レール上に支持された扉とカバー部とのクリアランスより小さく設定されていることを特徴とする。
【０００９】
請求項２の発明のショーケースは、上記において規制部を、奥側の開口縁のレール上に設けたことを特徴とする。
【００１０】
請求項３の発明のショーケースは、上記各発明において規制部を、折曲された板金にて構成したことを特徴とする。
【００１１】
請求項４の発明のショーケースは、上記各発明において規制部を、レール上に着脱自在に設けたことを特徴とする。
【００１２】
請求項５の発明のショーケースは、上記各発明においてレールは上下二段で構成され、上側のレールが下側のレールのカバー部を兼ねることを特徴とする。
【００１３】
請求項６の発明のショーケースは、上記各発明において扉には、レールに当接する突起を形成したことを特徴とする。
【発明の効果】
【００１４】
本発明によれば、上方に開口する陳列室の奥側の開口縁が手前側の開口縁よりも高い位置とされたショーケースにおいて、奥側及び手前側の開口縁にそれぞれ設けられたレールと、各レールの上方に所定の間隔を存してそれぞれ設けられ、各レールとの間に陳列室の開口方向に開放した扉挿入空間をそれぞれ構成するカバー部と、各扉挿入空間に上下縁部がそれぞれ挿入されて各レール上に左右移動自在に支持され、陳列室の開口を開閉自在に閉塞する引き戸式の扉と、レール上に設けられ、当該レールに支持された扉の陳列室の奥側への移動を規制する規制部とを備えているので、奥側と手前側との高さの相違による傾斜が小さい引き戸式の扉であっても、規制部により上下へのガタ付きが防止若しくは抑制され、開閉移動を円滑に行えるようになる。
【００１５】
また、規制部の扉の厚さ方向の高さ寸法は、レール上に支持された扉とカバー部とのクリアランスより小さく設定されているので、レールとカバー部間の扉挿入空間に扉の上下縁部を挿入しているにも拘わらず、扉を持ち上げて規制部より上に位置させ、その状態で上下方向にずらすことで容易に扉挿入空間から扉を引き出し、外すことが可能となる。更に、扉を取り付ける際にも、扉挿入空間の規制部とカバー部間に扉を差し込んだ後、レール上に載置すれば良い。これらにより、ショーケースへの扉の着脱も容易に行えるものである。
【００１６】
特に、請求項２の発明の如く規制部を奥側の開口縁のレール上に設ければ、扉を取り付ける際には先ず奥側の扉挿入空間のカバー部と規制部間に上縁を挿入し、次に手前側の扉挿入空間に下縁を差し込んで降ろし、レール上に載置する。また、扉を取り外す際には先ず扉の上縁を規制部より上に持ち上げ、その状態で奥方に移動させて下縁を手前側の扉挿入空間より外に出し、そのまま下縁を持ち上げて手前に引けば扉は外すことができる。手前側のレールに規制部を設けた場合にはこれが逆の動作となり、面倒であるが、請求項２の如く奥側のレールに設けることで、扉の着脱はより容易となる。
【００１７】
また、請求項３の発明の如く規制部を折曲された板金にて構成すれば、著しいコストの低減を図ることができるようになる。また、折曲の回数で規制部の高さ寸法の調整ができる利点もある。
【００１８】
更に、請求項４の発明の如く規制部をレール上に着脱自在に設けるようにすれば、設計されたショーケースの扉の傾斜の度合いに応じて、規制部を設けるか設けないかを簡単に変更することができるようになる。
【００１９】
この場合、請求項５の発明ではレールが上下二段で構成されている場合に、上側のレールが下側のレールのカバー部を兼ねるようにしたので、下側のレール用に別途カバー部を取り付ける必要が無くなり、部品点数の削減を図ることができる。
【００２０】
更に、請求項６の発明の如く扉に、レールに当接する突起を形成すれば、扉とレールとの接触抵抗が減少し、開閉操作がより円滑となるものである。
【図面の簡単な説明】
【００２１】
【図１】本発明を適用した一実施例のショーケースの縦断側面図である。
【図２】図１のショーケースの奥側のレール部材部分の拡大縦断側面図である。
【図３】図１のショーケースの手前側のレール部材部分の拡大縦断側面図である。
【発明を実施するための形態】
【００２２】
以下、本発明の実施の形態について、詳細に説明する。図１は本発明を適用した一実施例のショーケース１の縦断側面図である。実施例のショーケース１は、スーパーマーケット等の店舗内に設置されて食品や飲料等の商品を冷却しながら陳列販売するためのものであり、断面が図１に示すように上向きのコ字状とされた断熱壁の両側に図示しない断熱側壁を取り付けて構成された断熱箱体２と、この断熱箱体２の周囲の上縁に立設された透明壁３と、断熱箱体２の前後方向の中央部に立設され、断熱箱体２内を前後に仕切る中央仕切壁４と、断熱箱体２の手前側の壁２Ａ及びその上端の透明壁３と、奥側の壁２Ｂ及びその上端の透明壁３とそれぞれ間隔を存して設けられた仕切板６、７と、この仕切板６、７下端と中央仕切壁４との間にそれぞれ設けられたデッキパン８、９とを備えている。
【００２３】
このデッキパン８、９上の仕切板６と中央仕切壁４間、及び、仕切板７と中央仕切壁４間に上方に開口した前後の陳列室１１、１２がそれぞれ構成されている。また、デッキパン８、９の断熱箱体２の底壁２Ｃとの間には底部冷気通路１３が構成され、デッキパン８、９下側の底部冷気通路１３内にはそれぞれ冷却装置の冷凍サイクルを構成する冷却器１４、１６が設置されている。中央仕切壁４内にも下端が底部冷気通路１３に連通した中央冷気通路１７が構成されており、この中央仕切壁４の下方に対応する底部冷気通路１３内には送風機１８が設置されている。
【００２４】
また、仕切板６と壁２Ａ（透明壁３）間、仕切板７と壁２Ｂ（透明壁３）間にもそれぞれ前後側の冷気通路２１、２２が構成され、下端が底部冷気通路１３に連通している。そして、中央仕切壁４上端部の前後面には冷気吐出口２３、２４が形成され、前後側の冷気通路２１、２２の上端には前後の冷気吸込口２６、２７が形成されている。尚、各冷気吸込口２６、２７の上側を間隔を存して被覆するフランジ３０（図３）には結露防止用の図示しない電気ヒータが取り付けられている。
【００２５】
係る構成で、送風機１８が運転されると、各冷却器１４、１６と熱交換して冷却された冷気が中央冷気通路１７内に吹き上げられ、各冷気吐出口２３、２４から各陳列室１１、１２内に吐出される。各陳列室１１、１２内の冷気は前後の冷気吸込口２６、２７からそれぞれ吸い込まれ、冷気通路２１、２２を通って底部冷気通路１３に入り、各冷却器１４、１６に帰還する循環が行われる。これにより、各陳列室１１、１２内は所定の冷蔵、若しくは冷凍温度に冷却される。
【００２６】
この場合、中央仕切壁４、手前側及び奥側の透明壁３、３上には上部構造体３１が取り付けられている。この上部構造体３１は、中央仕切壁４上に立設されて手前側の壁２Ａ上の透明壁３及び奥側の壁２Ｂ上の透明壁３よりも高い位置まで延在する中央壁３２と、中央壁３２の左右の透明壁３上方を閉塞する透明壁３３とを有し、これらにより、各陳列室１１、１２の上面の開口は、奥側の開口縁が手前側の開口縁よりも少許高い構成とされている。尚、この上部構造体３１の中央壁３２の前後面には上側が陳列室１１、１２側に倒れるように傾斜した鏡３４が設けられており、陳列室１１、１２内の商品がこの鏡３４、３４に映るように構成されている。尚、この鏡３４の裏面には結露防止用の図示しない電気ヒータが取り付けられている。
【００２７】
そして、各陳列室１１、１２の上方の開口はそれぞれ引き戸式の扉３６、３７によってそれぞれ開閉自在に閉塞される。次に、図２及び図３の拡大断面図を参照しながら扉３６、３７を支持するレール部材４１、４２の構造について説明する。尚、陳列室１２の開口を閉じる扉３６、３７の支持に関する後述する構造は、陳列室１１の開口を閉じる扉３６、３７の場合と同様であるので、以後は陳列室１１に関する扉３６、３７（図１の向かって左側）についてのみ説明する。
【００２８】
図２は上部構造体３１の中央壁３２上端の前後に設けられた奥側の開口縁のレール部材４１を示す拡大断面図、図３は上部構造体３１の前後縁に設けられた手前側の開口縁のレール部材４２部分の拡大断面図をそれぞれ示している。手前側の開口縁より高い奥側の開口縁のレール部材４１はステンレス鋼板から構成され、上下に所定の間隔を存して設けられて左右に延在する二段のレール４３、４４と、上側のレール４３の上側に所定の間隔を存して左右に延在するカバー部４６とを有し、上下のレール４３、４４上のカバー部４６、レール４３との間に陳列室１１の開口方向に開放した扉挿入空間４７、４８がそれぞれ構成されている。また、各レール４３、４４は陳列室１１の開口の傾斜に合わせて手前側に向けて低く傾斜している。尚、カバー部４６は後述する如くレール４３、４４上に載置される扉３６、３７の上縁を隠蔽し、且つ、脱落を防止するために設けられており、上側のレール４３は下側のレール４４のカバー部を兼ねる。
【００２９】
また、レール４３、４４上の奥側（各扉挿入空間４７、４８の奥部）には、本発明の規制部５１がそれぞれ溶接若しくはネジ止めにて設けられている。この規制部５１はステンレス鋼板から成る板金を折曲（密着曲げ）することにより、所定の高さ寸法（厚さ寸法）を有するように構成されており、レール４３、４４の左右に渡って取り付けられている。尚、規制部５１の高さ寸法は、レール４３、４４に支持（載置）された状態における扉３６とカバー部４６との間、及び、扉３７とレール４３との間のクリアランスより小さく設定されている。
【００３０】
一方、この奥側の開口縁より低い手前側の開口縁のレール部材４２もステンレス鋼板から構成され、上下に所定の間隔を存して設けられて左右に延在する二段のレール５３、５４と、上側のレール５３の上側に所定の間隔を存して左右に延在するカバー部５６とを有し、上下のレール５３、５４上のカバー部５６、レール５３との間に陳列室１１の開口方向に開放した扉挿入空間５７、５８がそれぞれ構成されている。また、各レール５３、５４は陳列室１１の開口の傾斜に合わせて奥側に向けて高く傾斜している。尚、カバー部５６は後述する如くレール５３、５４上に載置される扉３６、３７の下縁を隠蔽し、且つ、脱落を防止するために設けられており、上側のレール５３は同様に下側のレール５４のカバー部を兼ねる。また、扉挿入空間５７、５８の奥部におけるレール５３、５４の手前側は所定の角度で上昇する起立壁７１、７２に連続している。
【００３１】
他方、扉３６、３７はアクリル製の透明板により構成されており、全体としては矩形状であるが、前後で切断したときに所定の曲率で湾曲する円弧状を呈している。また、扉３６、３７の周囲には硬質樹脂（塩化ビニル）製のモール６１が取り付けられている。尚、６２は扉３６、３７を閉じたときに外側となるモール６１に形成された把手部である。
【００３２】
以上の構成で、扉３６、３７を奥側と手前側のレール部材４１、４２間に取り付ける手順について説明する。ここで、前述した如く規制部５１の高さ寸法は、レール４３、４４に支持（載置）された状態における扉３６とカバー部４６との間、及び、扉３７とレール４３との間のクリアランスより小さく設定されているので、先ず、下側となる扉３７の上縁をレール部材４１の下側の扉挿入空間４８内に挿入し、上面をレール４３に近接若しくは当てた状態で奥の規制部５１上まで差し込む。
【００３３】
この状態で扉３７の下縁のモール６１は手前側のレール部材４２のレール５３先端よりも陳列室１１の開口側に位置するので、そのまま降ろしてレール５４上に載置する。次に、扉３７全体を手前に引いて下縁のモール６１をレール５４と起立壁７２の作る隅角部に落とし込む。このとき、扉３７の上縁のモール６１は規制部５１上から下りてレール４４上に支持されるが、規制部５１はこの扉３７の上側（奥側）に所定の間隔を存して対峙する。このようにして扉３７はレール４４、５４に左右移動自在に支持される。
【００３４】
次に、上側となる扉３６の上縁をレール部材４１の上側の扉挿入空間４７内に挿入し、上面をカバー部４５に近接若しくは当てた状態で奥の規制部５１上まで差し込む。この状態で扉３６の下縁のモール６１は手前側のレール部材４２のカバー部５６先端よりも陳列室１１の開口側に位置するので、そのまま降ろしてレール５３上に載置する。次に、扉３６全体を手前に引いて下縁のモール６１をレール５３と起立壁７１の作る隅角部に落とし込む。このとき、扉３６の上縁のモール６１は規制部５１上から下りてレール４３上に支持されるが、規制部５１はこの扉３６の上側（奥側）に所定の間隔を存して対峙する。このようにして扉３６はレール４３、５３に左右移動自在に支持される。
【００３５】
この状態で、上下の扉３６、３７を閉塞位置とした場合、両者の隣接する側の辺が上下に重合するので、陳列室１１の開口は支障無く閉塞される。ここで、前述した如く陳列室１１の奥側の開口縁は手前側の開口縁よりも少許高いだけであるので、上述の如く各レール部材４１、４２に支持された扉３６、３７の傾斜は小さい。そのため、扉３６、３７の重量はレール部材４２のみでは無く、レール部材４１にも分散されるかたちとなり、各扉３６、３７の下縁のモール６１を各起立壁７１、７２との隅角部に落とし込む力も小さくなる。
【００３６】
そのため、この閉塞位置から各扉３６、３７を開放するように左右に移動させると、どうしても扉３６、３７を取り付けるための各扉挿入空間４７、４８、５７、５８との間のクリアランスのために扉３６、３７が上下に移動し、ガタ付いてしまうが、本発明では扉３６、３７の上側に対峙するように各規制部５１、５１が設けられているので、レール４３、４４に支持された状態で扉３６、３７が上に移動しようとすると、規制部５１、５１に当接し、それ以上の上方への移動は規制されて不能となる。これにより、扉３６、３７の開閉のための左右移動が極めて安定なもとなる。
【００３７】
尚、扉３６、３７を外す際には、先ず上側の扉３６の上縁を持ち上げてカバー部４６に当接若しくは近接させ、そのまま奥側に移動させる。このときも規制部５１の高さ寸法は扉３６とカバー部４６とのクリアランスより小さいので、扉３６は支障無く規制部５１上に移動できる。このとき扉３６の下縁は扉挿入空間５７より出ているので、そのまま持ち上げ、更に手前に引けば上縁も扉挿入空間４７から出るので、扉３６はレール部材４１、４２から外れることになる。
【００３８】
次に、同様に下側の扉３７の上縁を持ち上げてレール４３に当接若しくは近接させ、そのまま奥側に移動させる。このときも規制部５１の高さ寸法は扉３７とレール４３とのクリアランスより小さいので、扉３７は支障無く規制部５１上に移動できる。このとき扉３７の下縁は扉挿入空間５８より出ているので、そのまま持ち上げ、更に手前に引けば上縁も扉挿入空間４８から出るので、扉３７はレール部材４１、４２から外れることになる。
【００３９】
このように本発明ではレール４３、４４上に設けられ、当該レール４３、４４に支持された扉３６、３７の上方向への移動を規制する規制部５１を設けているので、奥側と手前側との高さの相違による傾斜が小さい引き戸式の扉３６、３７であっても、規制部５１により上下へのガタ付きが防止若しくは抑制され、開閉移動を円滑に行えるようになる。
【００４０】
また、規制部５１の高さ寸法は、レール４３、４４上に支持された扉３６、３７とカバー部４６（レール４３）とのクリアランスより小さく設定されているので、レール４３とカバー部４６、レール４３とレール４４間の各扉挿入空間４７、４８に扉４６、３７の上下縁部を挿入しているにも拘わらず、扉３６、３７を持ち上げて規制部５１より上に位置させ、その状態で下方向にずらすことで容易に扉挿入空間４７、４８から扉３６、３７を引き出し、外すことが可能となる。更に、扉３６、３７を取り付ける際にも、扉挿入空間４７、４８の規制部５１とカバー部４６、レール４３間に扉３６、３７を差し込んだ後、レール４３、４４上に載置すれば良い。これらにより、ショーケース１への扉３６、３７の着脱も容易に行える。
【００４１】
特に、実施例では規制部５１を奥側の開口縁のレール４３、４４上に設けているので、扉３６、３７を取り付ける際には先ず奥側の扉挿入空間４７、４８のカバー部４６と規制部５１、レール４３と規制部５１間に上縁を挿入し、次に手前側の扉挿入空間５７、５８に下縁を差し込んで降ろし、レール５３、５４上に載置する。また、扉３６、３７を取り外す際には先ず扉３６、３７の上縁を規制部５１より上に持ち上げ、その状態で奥方に移動させて下縁を手前側の扉挿入空間５７、５８より外に出し、そのまま下縁を持ち上げて手前に引けば扉３６、３７は外すことができる。手前側のレール５３、５４に規制部５１を設けた場合にはこれが逆の動作となり、面倒であるが、実施例の如く奥側のレール４３、４４に設けることで、扉３６、３７の着脱はより容易となる。
【００４２】
また、実施例では規制部５１を折曲された板金にて構成しているので、著しいコストの低減を図ることができるようになる。また、折曲の回数で規制部５１の高さ寸法の調整ができる利点もあり、機種毎に寸法が変わる場合に極めて有効である。
【００４３】
ここで、実施例ではレール４３、４４、５３、５４を上下二段で構成し、上側のレール４３、５３が下側のレール４４、５４のカバー部を兼ねるようにしたので、下側のレール４４、５４用に別途カバー部を取り付ける必要が無くなり、部品点数の削減を図ることができる。
【００４４】
尚、実施例では規制部５１を板金にて構成してレール部材４１に溶接若しくはネジ止めしたが、それに限らず、例えば磁石で規制部５１を構成し、レール４３、４４上に着脱自在に設けるようにすれば、設計されたショーケース１の扉３６、３７の傾斜の度合いに応じて、規制部５１を設けるか設けないかを簡単に変更することができるようになる。
【００４５】
また、扉３６、３７のモール６１に、レール４３、４４、５３、５４に当接する突起を左右に延在して形成しても良い。係る構造によれば、扉３６、３７のモール６１とレール４３、４４、５３、５４との接触抵抗が減少し、開閉操作がより円滑となる。
【００４６】
また、実施例では前後に陳列室１１、１２が構成されたショーケース１に本発明を適用したが、勿論手前側のみに陳列室が構成された一般的な平型ショーケースにも本発明は有効である。
【符号の説明】
【００４７】
１  ショーケース
２  断熱箱体
３  透明壁
４  中央仕切壁
１１、１２  陳列室
３１  上部構造体
３６、３７  扉
４１、４２  レール部材
４３、４４、５３、５４  レール
４６、５６  カバー部
４７、４８、５７、５８  扉挿入空間
５１  規制部
６１  モール
【図１】
0005631680.tif 000002
【図２】
0005631680.tif 000003
【図３】
0005631680.tif 000004